(57)【要約】【課題】操作装置のコンパクト化と相俟ってガス絶縁開閉装置の高圧回路との切離しを容易かつ確実に行えるガス絶縁計器用変圧器を提供する。【解決手段】本発明に係るガス絶縁計器用変圧器は、容器１５内に収容する電圧変成部１２の高圧端子１３に、前記容器１５の外部より気密に介挿された接続導体との接離を行わせる高圧側着脱接触可動部を備えるとともに、この高圧側着脱接触可動部の駆動を操作する操作装置１１を備えたガス絶縁計器用変圧器において、前記操作装置１１に回転駆動力を往復駆動力に変えて前記高圧側着脱接触可動部の駆動を行わせる手段１９を備えた。【選択図】  図１
2004273855.tif 000002
【特許請求の範囲】
【請求項１】
容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置に回転駆動力を往復駆動力に変えて前記高圧側着脱接触可動部の駆動を行わせる手段を備えたことを特徴とするガス絶縁計器用変圧器。
【請求項２】
回転駆動力を往復駆動力に変えて高圧側着脱接触可動部の駆動を行わせる手段は、ハンドルの回転駆動力を往復駆動力に変えて絶縁棒に伝えるシャフト機構部であることを特徴とする請求項１記載のガス絶縁計器用変圧器。
【請求項３】
シャフト機構部は、駆動軸を介して接続するハンドルと、前記駆動軸を支持し、容器の底部側に設けたフランジに固設する支持台とを備えたことを特徴とする請求項２記載のガス絶縁計器用変圧器。
【請求項４】
容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置に回転駆動力を往復駆動力に変えて前記高圧側着脱接触可動部の駆動を行わせる手段と、前記回転駆動力の回転範囲に制限を加えるストッパ装置とを備えたことを特徴とするガス絶縁計器用変圧器。
【請求項５】
ストッパ装置は、駆動軸に接続する回転子片と、この回転子片の回転範囲を制限するストッパ片とを備えたことを特徴とする請求項４記載のガス絶縁計器用変圧器。
【請求項６】
ストッパ装置は、駆動軸に接続する回転子片と、この回転子片の回転範囲を制限するマイクロスイッチとを備えたことを特徴とする請求項４記載のガス絶縁計器用変圧器。
【請求項７】
容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置に回転駆動力を往復駆動力に変えて前記高圧側着脱接触可動部の駆動を行わせる手段と、前記回転駆動力の回転範囲に制限を加えるストッパ装置と、このストッパ装置を覆設する保護カバーと、この保護カバーの開閉を検出するドアスイッチとを備えたことを特徴とするガス絶縁計器用変圧器。
【発明の詳細な説明】
【０００１】
【発明の属する技術分野】
本発明は、ガス絶縁開閉装置の高圧回路に対し、接続、切離しが容易なガス絶縁計器用変圧器の改良に関する。
【０００２】
【従来の技術】
従来、ガス絶縁計器用変圧器は、ガス絶縁開閉装置に設けられ、高電圧回路の電圧を検出するために使用されているが、ガス絶縁開閉装置に直流または交流を通電する課電試験を行う場合、高電圧回路から切り離すことができる構成になっている。
【０００３】
また、最近のガス絶縁計器用変圧器では、高電圧回路との接続、切離し機構の開発が進歩し、ガス絶縁開閉装置に取り付けたままの状態であっても、ガス絶縁開閉装置の交流耐電圧試験やケーブルの直流耐電圧試験等を行うことができるようになっており、その構成として図１０および図１１に示すものがある。なお、図１０および図１１は、三相形ガス絶縁計器用変圧器を一例として示している。また、図１０は、従来の三相形ガス絶縁計器用変圧器の内部構成を一部断面として示す正面図であり、図１１は、図１０のＡ−Ａ矢視方向から見た切断断面図である。
【０００４】
三相形ガス絶縁計器用変圧器は、絶縁ガスａを充填し、三相分の電圧変成部２を収容する筒状の容器１とを備えている。
【０００５】
また、三相形ガス絶縁計器用変圧器は、筒状の容器１の頂部開口部側に設けた三相用の絶縁スペーサ３の気密性を維持させつつ貫通する高圧導体４を設けるとともに、高圧導体４の一端部に接続導体７を備えている。なお、高圧導体４の他端部は、ガス絶縁開閉装置の高圧線路（図示せず）に接続している。
【０００６】
一方、電圧変成部２は、図３に示すように、額縁状に形成する鉄心３ａの縁端にシールド３ｂを装着するとともに、鉄心３ａの一側部に低圧コイル４ａと高圧コイル４ｂとを巻装し、巻装した高圧コイル４ｂにシールド４ｃを介して高電圧側端部５を備えた構成になっている。
【０００７】
また、電圧変成部２は、図１１に示すように、高電圧側端部５の高圧端子６を高圧導体４の接続導体７に対し、接続、切離しが容易な高圧側着脱接触自在部１０を形成している。
【０００８】
この高圧側着脱接触自在部１０は、電圧変成部２から絶縁スペーサ３側に向って延びる高電圧側端部５と、この高電圧側端部５の先端に設けられ、進退自在に摺動させる高圧端子６とを備え、高圧端子６を高圧導体４の接続導体７に対し、接続、切離しを容易にしている。
【０００９】
また、三相形ガス絶縁計器用変圧器は、筒状の容器１の頂部開口部側に設けた絶縁スペーサ３と反対側の位置に操作装置８を備えている。
【００１０】
この操作装置８は、連続部８ａを介してＴ字状に形成する絶縁棒９と、絶縁棒のＴ字状の両先端部に設けた高圧端子６とを備えて構成されている。
【００１１】
このような構成を備えた三相形ガス絶縁計器用変圧器は、特開２００２−８４６１０号公報（例えば、特許文献１参照）に見られるように、操作装置８の駆動力で絶縁棒９を進退させ、この進退力に伴って高圧端子６が追従するから、高圧側着脱接触可動部１０を形成する高圧端子６と高圧導体４の接続導体７との間で接続、切離しを自在に行うことができる。
【００１２】
したがって、従来の三相形ガス絶縁計器用変圧器では、課電試験時、高圧端子６が高圧導体４の接続導体７から確実に切り離されているので、電圧変成部２に電流が通電されることもなく、充分に安全なテストを行うことができる。
【００１３】
【特許文献１】
特開２００２−８４６１０号公報
【００１４】
【発明が解決しようとする課題】
ところで、従来の三相形ガス絶縁計器用変圧器は、課電試験時、電圧変成部２に電流が通電されていないので、充分に安全なテストを行うことができるものの、それでも幾つかの問題点があり、その一つに操作装置の改善がある。
【００１５】
従来、三相形ガス絶縁計器用変圧器は、高圧側着脱接触自在部１０を形成する高圧端子６を高圧導体４の接続導体７に対し、接続、切離しの進退をさせる際、操作装置８にウォーム歯車機構部を備えていた。
【００１６】
しかし、このウォーム歯車機構部は、操作装置８の全体の形状を大きくしており、このためガス絶縁計器用変圧器の取扱い上に注意力を必要とし、また駆動部を制止装置で確実に止めるための特別な注意が必要となるなど操作員に、より多くの労力の負担を強いていた。
【００１７】
このため、三相形ガス絶縁計器用変圧器は、高圧端子６を接続導体７に対し、接続、切離しの際、操作装置８を小形化かつ簡素化させ、高圧端子６の進退を容易に行わせる操作容易性の改善が求められていた。
【００１８】
本発明は、このような事情に基づいてなされたもので、操作装置をより一層小形化、簡易化させ、しかもガス絶縁開閉装置の高圧回路との接続、切離しの操作を容易かつ確実に行えるガス絶縁計器用変圧器を提供することを目的とする。
【００１９】
【課題を解決するための手段】
本発明に係るガス絶縁計器用変圧器は、上述の目的を達成するために、請求項１に記載したように、容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置に回転駆動力を往復駆動力に変えて前記高圧側着脱接触可動部の駆動を行わせる手段を備えたものである。
【００２０】
また、本発明に係るガス絶縁計器用変圧器は、上述の目的を達成するために、請求項２に記載したように、回転駆動力を往復駆動力に変えて高圧側着脱接触可動部の駆動を行わせる手段は、ハンドルの回転駆動力を往復駆動力に変えて絶縁棒に伝えるシャフト機構部であることを特徴とするものである。
【００２１】
また、本発明に係るガス絶縁計器用変圧器は、上述の目的を達成するために、請求項３に記載したように、シャフト機構部は、駆動軸を介して接続するハンドルと、前記駆動軸を支持し、容器の底部側に設けたフランジに固設する支持台とを備えたものである。
【００２２】
また、本発明に係るガス絶縁計器用変圧器は、上述の目的を達成するために、請求項４に記載したように、容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置に回転駆動力を往復駆動力に変えて前記高圧側着脱接触可動部の駆動を行わせる手段と、前記回転駆動力の回転範囲に制限を加えるストッパ装置とを備えたものである。
【００２３】
また、本発明に係るガス絶縁計器用変圧器は、上述の目的を達成するために、請求項５に記載したように、ストッパ装置は、駆動軸に接続する回転子片と、この回転子片の回転範囲を制限するストッパ片とを備えたものである。
【００２４】
また、本発明に係るガス絶縁計器用変圧器は、上述の目的を達成するために、請求項６に記載したように、ストッパ装置は、駆動軸に接続する回転子片と、この回転子片の回転範囲を制限するマイクロスイッチとを備えたものである。
【００２５】
また、本発明に係るガス絶縁計器用変圧器は、上述の目的を達成するために、請求項７に記載したように、容器内に収容する電圧変成部の高圧端子に、前記容器の外部より気密に介挿された接続導体との接離を行わせる高圧側着脱接触可動部を備えるとともに、この高圧側着脱接触可動部の駆動を操作する操作装置を備えたガス絶縁計器用変圧器において、前記操作装置に回転駆動力を往復駆動力に変えて前記高圧側着脱接触可動部の駆動を行わせる手段と、前記回転駆動力の回転範囲に制限を加えるストッパ装置と、このストッパ装置を覆設する保護カバーと、この保護カバーの開閉を検出するドアスイッチとを備えたものである。
【００２６】
【発明の実施の形態】
以下、本発明に係るガス絶縁計器用変圧器の実施形態を図面および図面に付した符号を引用して説明する。なお、本実施形態に係るガス絶縁計器用変圧器は、例示として三相形ガス絶縁計器用変圧器を適用対象としているが、これに限らず単相形ガス絶縁計器用変圧器または二相形ガス絶縁計器用変圧器にも適用することができる。
【００２７】
図１は、本発明に係るガス絶縁計器用変圧器の第１実施形態を示す概念図である。
【００２８】
図１には、本実施形態に係る三相形ガス絶縁計器用変圧器において、三相分の電圧変成部１２の高圧端子１３を高圧側着脱接触可動部の接続導体（ともに図示せず）に接離自在に駆動する操作装置１１が示されている。
【００２９】
この操作装置１１は、フランジ１４で気密保持され、容器１５内を挿通し、電圧変成部１２の高圧端子１３を進退させる絶縁棒１６と、この絶縁棒１６の連結部１７を介して接続する駆動部１８とを備えた構成になっている。
【００３０】
駆動部１８は、図２に示すように、絶縁棒１６に装着したシャフト機構部１９と、このシャフト機構部１９に駆動軸２０を介して接続するハンドル２１と、駆動軸２０を支持し、容器１５の底部側に設けたフランジ１４に固設する支持台２２とで構成されている。
【００３１】
このような構成を備えた操作装置１１は、ハンドル２１を回転駆動させ、その駆動力を駆動軸２０を介してシャフト機構部１９に与え、ここで回転駆動力を往復駆動力に変換し、変換された往復駆動力を絶縁棒１６の連結部１７を介して高圧端子１３に伝えるので、高圧端子１３を高圧側着脱接触可動部の接続導体に対し、より一層容易に接離自在に駆動することができる。
【００３２】
なお、シャフト機構部１９の長さを、より長く変化させると、絶縁棒１６は、より大きな進退駆動力と駆動距離とが得られ、高圧端子１３をより一層容易に駆動することができる。
【００３３】
このように、本実施形態は、回転駆動力を往復駆動力に変換する手段を操作装置１１に備えているので、小さな駆動力を大きな駆動力に容易に変えることができ、小さな駆動力で高圧端子１３をより一層容易に進退駆動させることができ、ガス絶縁計器用変圧器全体をより一層小形化することができる。
【００３４】
図４は、本発明に係るガス絶縁計器用変圧器の第２実施形態を示す概念図である。なお、第１実施形態の構成要素と同一構成要素には同一符号を付す。
【００３５】
本実施形態に係るガス絶縁計器用変圧器は、操作装置１１の駆動範囲を制限して操作ミスを未然に防止するストッパ装置２３を備えたものである。
【００３６】
このストッパ装置２３は、図４および図５に示すように、回転駆動力を往接続復駆動力に変えるシャフト機構部１９に接続する駆動軸２０を支持する支持台２２の外側に設けた取付板２４と、この取付板２４に設けられ、自在に回転する回転子片３５と、この回転子片３５の回転範囲を制限し、ベース板２６に設けた突出し状のストッパ片２７ａ，２７ｂとを備えて構成されている。
【００３７】
このように、本実施形態は、駆動軸２０からの回転駆動力を往復駆動力に変えて絶縁棒１６の連結部１７に伝える操作装置１１にストッパ装置２３を設けたので、操作員の不注意な操作ミスによる絶縁棒１６の誤動作を確実に防止することができ、絶縁棒１６の誤動作に基づく高圧端子等の絶縁破壊等の事故を未然に防止することができる。
【００３８】
図６は、本発明に係るガス絶縁計器用変圧器の第３実施形態を示す概念図である。なお、第１実施形態の構成要素と同一構成要素には同一符号を付す。
【００３９】
本実施形態に係るガス絶縁計器用変圧器は、第２実施形態と同様に、操作装置１１の駆動範囲を制限して操作ミスを未然に防止するマイクロスイッチ２８ａ，２８ｂを取付板２４に備えたものである。
【００４０】
マイクロスイッチ２８ａ，２８ｂは、図６および図７に示すように、取付板２４に設けられ、駆動軸２０とともに回転する回転子片２５がＯＮすると、絶縁棒１６の作動を停止させる構成になっている。
【００４１】
したがって、本実施形態によれば、第２実施形態と同様に、操作員の操作ミスを確実に防止することができ、高圧端子等の絶縁破壊等の事故を未然に防止することができる。
【００４２】
図８は、本発明に係るガス絶縁計器用変圧器の第４実施形態を示す概念図である。なお、第１実施形態の構成要素と同一構成要素には同一符号を付す。
【００４３】
本実施形態に係るガス絶縁計器用変圧器は、操作装置１１の作動有無を遠隔的に監視する遠隔監視装置２９を備えたものである。
【００４４】
この遠隔監視装置２９は、操作装置１１における回転子片２５の回転範囲を制限するマイクロスイッチ２８ａ，２８ｂを備えた取付板２４を覆設する保護カバー３０と、この保護カバー３０および取付板２４のうち、いずれか一方に設けたドアスイッチ３１とを備えて構成されている。
【００４５】
また、ドアスイッチ３１は、電圧変成部の高圧端子１３が接触導体から切り離されるときのみに開口する保護カバー３０の作動を電気的に検出するもので、検出した信号を監視部（図示せず）に送る構成になっている。なお、保護カバー３０が閉じられているとき、ドアスイッチ３１は、スイッチをＯＮしても保護カバー３０が閉じている旨の情報を監視部に送る回路を備えている。
【００４６】
このように、本実施形態は、操作装置１１に遠隔監視装置２９を設け、高圧端子１３が接触導体から切り離される際、保護カバー３０が腐食等によって不動作になっていないかの有無を遠隔的に監視するので、操作装置１１の操作を確実に行わせることができる。
【００４７】
【発明の効果】
以上の説明のとおり、本発明に係るガス絶縁計器用変圧器は、電圧変成部の高圧端子と接触導体との接離操作の際、操作装置に、回転駆動力を往復駆動力に変える手段と、回転駆動力に制限を加える手段とを設けたので、操作装置をより一層コンパクト化することができ、操作装置に誤操作のない安定駆動操作を行わせることができる。
【図面の簡単な説明】
【図１】本発明に係るガス絶縁計器用変圧器の第１実施形態を示す概念図。
【図２】図１のＢ−Ｂ矢視方向から見た側面図。
【図３】従来の電圧変成部を示す概念図。
【図４】本発明に係るガス絶縁計器用変圧器の第２実施形態を示す概念図。
【図５】図４のＣ−Ｃ矢視方向から見た側面図。
【図６】本発明に係るガス絶縁計器用変圧器の第３実施形態を示す概念図。
【図７】図６のＤ−Ｄ矢視方向から見た側面図。
【図８】本発明に係るガス絶縁計器用変圧器の第４実施形態を示す概念図。
【図９】図８のＥ−Ｅ矢視方向から見た側面図。
【図１０】従来のガス絶縁計器用変圧器を示す平面図。
【図１１】図１０のＡ−Ａ矢視方向から切断した断面図。
【符号の説明】
１  容器
２  電圧変成部
３  絶縁スペーサ
３ａ  鉄心
３ｂ  シールド
４  高圧導体
４ａ  低圧コイル
４ｂ  高圧コイル
４ｃ  シールド
５  高電圧側端部
６  高圧端子
７  接触導体
８  操作装置
８ａ  連結部
９  絶縁体
１０  高圧側着脱接触可動部
１１  操作装置
１２  電圧変成部
１３  高圧端子
１４  フランジ
１５  容器
１６  絶縁棒
１７  連結部
１８  駆動部
１９  シャフト機構部
２０  駆動軸
２１  ハンドル
２２  支持台
２３  ストッパ装置
２４  取付板
２５  回転子片
２６  ベース板
２７ａ，２７ｂ  ストッパ片
２８ａ，２８ｂ  マイクロスイッチ
２９  遠隔監視装置
３０  保護カバー
３１  ドアスイッチ
【図１】
2004273855.tif 000003
【図２】
2004273855.tif 000004
【図３】
2004273855.tif 000005
【図４】
2004273855.tif 000006
【図５】
2004273855.tif 000007
【図６】
2004273855.tif 000008
【図７】
2004273855.tif 000009
【図８】
2004273855.tif 000010
【図９】
2004273855.tif 000011
【図１０】
2004273855.tif 000012
【図１１】
2004273855.tif 000013